(57)【要約】【課題】修理／点検等のメンテナンスを容易／安全に行なうことができるものを提供すること。【解決手段】外箱と、外箱内に内置される変圧器用内箱と、変圧器用内箱内に満たされる絶縁液に浸される変圧器と、外箱内に設けられ、かつ外部送電系から変圧器の一次巻線側に供給する電力を導く一次側電力引き込み給電路を備え、一次側電力引き込み給電路は、接地開閉器、負荷開閉器、過電流ヒューズ、検電部、引き込みケーブルを有し、接地開閉器および負荷開閉器を前側から覆うように配置される表示板を設け、表示板に一次側電力引き込み給電路の電力系統配線図を表示したことを特徴とする。【選択図】図７
2004248359.tif 000002
【特許請求の範囲】
【請求項１】
外箱と、該外箱内に内置される変圧器用内箱と、該変圧器用内箱内に満たされる絶縁液に浸される変圧器と、前記外箱内に設けられ、かつ外部送電系から前記変圧器の一次巻線側に供給する電力を導く一次側電力引き込み給電路を備え、
前記一次側電力引き込み給電路は、接地開閉器、負荷開閉器、過電流ヒューズ、検電部、引き込みケーブルを有し、
前記接地開閉器および負荷開閉器を前側から覆うように配置される表示板を設け、該表示板に前記一次側電力引き込み給電路の電力系統配線図を表示したことを特徴とする地上用変圧器。
【請求項２】
請求項１の記載において、
前記電力系統配線図は、前記接地開閉器、前記負荷開閉器、前記過電流ヒューズ、前記検電部、前記引き込みケーブルを示すことを特徴とする地上用変圧器。
【請求項３】
請求項１の記載において、
前記電力系統配線図は、前記引き込みケーブル、該引き込みケーブルのケーブルヘッド、該ケーブルヘッドに分岐部を介してつながる前記接地開閉器、該接地開閉器につながる接地接続部、前記分岐部の分岐側につながる前記負荷開閉器、該負荷開閉器につながる前記過電流ヒューズ、前記過電流ヒューズにつながる前記変圧器、および前記ケーブルヘッドの分岐側につながる検電部を概略的に示すことを特徴とする地上用変圧器。
【請求項４】
請求項３の記載において、
前記電力系統配線図は、前記接地開閉器、前記負荷開閉器、前記過電流ヒューズ、前記検電部、前記引き込みケーブルの実際の位置関係と関連付けた表示であることを特徴とする地上用変圧器。
【請求項５】
請求項１の記載において、
前記表示板は、絶縁性を有する材料で形成されていることを特徴とする地上用変圧器。
【請求項６】
請求項１の記載において、
前記表示板は、前記電力系統配線図が描かれたシートを貼付してなることを特徴とする地上用変圧器。
【請求項７】
外箱と、該外箱内に内置される変圧器用内箱と、該変圧器用内箱内に満たされる絶縁液に浸される変圧器と、前記外箱内に設けられ、かつ外部送電系から前記変圧器の一次巻線側に供給する電力を導く一次側電力引き込み給電路を備え、
前記一次側電力引き込み給電路は、接地開閉器、負荷開閉器、過電流ヒューズ、検電部、引き込みケーブルを有し、
変圧器用内箱には、側部より外側に突出させるように形成するヒューズ収納室を設け、該ヒューズ収納室に前記過電流ヒューズを収納し、
前記過電流ヒューズの出力端側と前記変圧器の一次巻線側をリード線で接続し、
前記ヒューズ収納室と前記変圧器用内箱の内部側を仕切壁および前記リード線の保持板で仕切ったことを特徴とする地上用変圧器。
【請求項８】
請求項７の記載において、
前記仕切壁は内部が空洞であることを特徴とする地上用変圧器。
【請求項９】
請求項７の記載において、
前記仕切壁は間隔をもって配置した仕切用鋼板で形成したことを特徴とする地上用変圧器。
【請求項１０】
請求項７の記載において、
前記保持板は絶縁性を有することを特徴とする地上用変圧器。
【請求項１１】
請求項７の記載において、
前記保持板は上下分割に形成され、分割部分に前記リード線を挿通したことを特徴とする地上用変圧器。
【請求項１２】
請求項７の記載において、
前記保持板は仕切壁の長さ範囲に亘って延在していることを特徴とする地上用変圧器。
【請求項１３】
外箱と、該外箱内に内置される変圧器用内箱と、該変圧器用内箱内に満たされる絶縁液に浸される変圧器と、前記外箱内に設けられ、かつ外部送電系から前記変圧器の一次巻線側に供給する電力を導く一次側電力引き込み給電路を備え、
前記一次側電力引き込み給電路は、接地開閉器、負荷開閉器、過電流ヒューズ、検電部、引き込みケーブルを有し、
変圧器用内箱には、側部より外側に突出させるように形成するヒューズ収納室を設け、該ヒューズ収納室に前記過電流ヒューズを収納し、
前記ヒューズ収納室の内側には、上部に上部ヒューズ受け部材を、下部に下部ヒューズ受け部材を設け、
前記上部ヒューズ受け部材と前記下部ヒューズ受け部材に前記過電流ヒューズを着脱自在に支持したことを特徴とする地上用変圧器。
【請求項１４】
請求項１３の記載において、
前記上部ヒューズ受け部材は前記過電流ヒューズの上端部が着脱自在に嵌る上ソケットと該上ソケットを支持する上部ヒューズ受台を有し、
前記下部ヒューズ受け部材は前記過電流ヒューズの下端部が着脱自在に嵌る下ソケットと該下ソケットを支持する下部ヒューズ受台を有することを特徴とする地上用変圧器。
【請求項１５】
請求項１４の記載において、
前記下ソケットと前記変圧器の一次巻線側をリード線を介して接続することを特徴とする地上用変圧器。
【請求項１６】
請求項１４の記載において、
前記下部ヒューズ受け部材は上下に摺動自在に支持されていることを特徴とする地上用変圧器。
【請求項１７】
請求項１６の記載において、
前記下部ヒューズ受け部材側と前記負荷開閉器側をワイヤを含む可撓性の連結部材で連結したことを特徴とする地上用変圧器。
【請求項１８】
請求項１６の記載において、
前記下部ヒューズ受け部材の上下動に応じて揺動自在なる揺動レバーを設け、該揺動レバーと前記負荷開閉器側をワイヤを含む可撓性の連結部材で連結したことを特徴とする地上用変圧器。
【請求項１９】
請求項１８の記載において、
該揺動レバーを前記下部ヒューズ受け部材の下端側に当接するように付勢するバネ等の付勢手段を設けたことを特徴とする地上用変圧器。
【請求項２０】
請求項１７から１９のいずれかの記載において、
前記過電流ヒューズは、過電流作動時に過電流ヒューズの下端から突き出て前記下部ヒューズ受け部材を下方に押し下げる押し部材を有することを特徴とする地上用変圧器。
【発明の詳細な説明】
【０００１】
【発明の属する技術分野】
本発明は、路上に設置され、地下に埋設した電線ケーブルにより電力の給電／配電を行う地上用変圧器装置に関する。
【０００２】
【従来の技術】
地上用変圧器装置は、特開平９−２８２９８５号公報に示されているように絶縁液に浸される変圧器を内箱に収め、その内箱を外箱に収めた構成になっている。
【０００３】
この地上用変圧器装置は、一次側の定格電圧が６ｋＶ、二次側の定格電圧が２２０Ｖ〜４００Ｖ、容量が１２５ｋＶＡ程度であるが、容量アップの傾向にある。
【０００４】
この容量アップ化にともない、電気絶縁、温度上昇、安全性、保守点検等の種々の問題に加え、地上用変圧器装置全体の大きさをコンパクトに抑えなければなかった。
【０００５】
【発明が解決しようとする課題】
本発明は、上記の問題に鑑み、修理／点検等のメンテナンスを容易／安全に行なうことができるものを提供するものである。
【０００６】
また本発明は、過電流ヒューズの放熱が良く行なわれ、かつ過電流ヒューズが変圧器の熱で誤動作するの抑えるのである。
【０００７】
さらに本発明は、過電流ヒューズの取り着け、取り外しが容易にできるようにしたものである。
【０００８】
【課題を解決するための手段】
本発明は、外箱内に外部送電系から前記変圧器の一次巻線側に供給する電力を導く一次側電力引き込み給電路を備えた地上用変圧器にあって、一次側電力引き込み給電路は、接地開閉器、負荷開閉器、過電流ヒューズ、検電部、引き込みケーブルを有し、接地開閉器および負荷開閉器を前側から覆うように配置される表示板を設け、該表示板に一次側電力引き込み給電路の電力系統配線図を表示したことを特徴とする。
【０００９】
また本発明は、変圧器用内箱の側部より外側に突出させるように形成するヒューズ収納室に過電流ヒューズを収納し、過電流ヒューズの出力端側と変圧器の一次巻線側をリード線で接続し、ヒューズ収納室と変圧器用内箱の内部側を仕切壁およびリード線の保持板で仕切ったことを特徴とする。
【００１０】
さらに本発明は、変圧器用内箱の側部より外側に突出させるように形成するヒューズ収納室に過電流ヒューズを収納し、ヒューズ収納室の内側には、上部に上部ヒューズ受け部材を、下部に下部ヒューズ受け部材を設け、上部ヒューズ受け部材と下部ヒューズ受け部材に過電流ヒューズを着脱自在に支持したことを特徴とする。
【００１１】
【発明の実施の形態】
本発明について、実施例の図面を引用して詳しく説明する。
【００１２】
図１〜図８に示すように地上用変圧器装置の外箱１は直方体の形状を有し、鋼板で作られている。外箱１の内部には、変圧器２が収まる変圧器用内箱３が置かれる。外箱１の内部で変圧器用内箱３の下側の空間にはコンサベータ４や二次側配線装置５が置かれる。
【００１３】
また変圧器用内箱３が外箱１の片側に寄せて配置するので、反対側には縦に長い縦長空間が出来る。この縦長空間に一次側電力引き込み給電路が配置される。
【００１４】
一次側電力引き込み給電路は、引き込みケーブル６、接地開閉器７、負荷開閉器８、過電流ヒューズ９等を有する。
【００１５】
外箱１の構成について更に詳しく述べる。
【００１６】
外箱１は、主体部２０、ベース部２１、下側囲い部２２、枠部２３、扉２４、蓋２５、下部前側の扉２６、下部側面の扉２７、天井蓋２８を有する。これらは鋼材で形成されている。
【００１７】
また主体部２０には換気口部３０が備わる。この換気口部３０は、上下二段に分けて設けられ、表面、裏面および側面に配置している。表面、裏面には上下の換気口部３０の間に張り紙の接着性を損ねる処置ないし処理が施された張り紙難着部３１が設けられている。側面にも張り紙難着部３１が設けられている。
【００１８】
外箱１は、後で詳しく述べるが、放熱の機能を持たせている。張り紙がし難くなるので、外箱１の放熱の機能が失われなく、変圧器２の温度上昇を抑えることができる。
【００１９】
前記換気口部３０は主体部２０の換気口部取付穴２９に取り付けられる。この換気口部３０は巾の狭い板が幾枚も外向きに下がる傾斜を保つように形成された鎧板になっている。雨水は鎧板で拒まれるため外箱１の内部には入り難くなる。また換気口部３０より外箱１内の換気が行われるので、変圧器２の温度上昇が抑えられる。
【００２０】
下方に位置する換気口部３０の下側には、外箱１に貫通させて水抜き穴４０が形成されている。鎧板で阻止できなかった雨水は、水抜き穴４０から外箱１の外に自然に排水される。
【００２１】
扉２４は縦長の形状を有し、この扉２４を開けることにより、前記一次側電力引き込み給電路収納部分が開放される。蓋２５、天井蓋２８をも外すことで一次側電力引き込み給電路は表側面、側面および上面の三面が開放状態になるため、一次側電力引き込み給電路の補修／点検等のメンテナンスが容易に行える。
【００２２】
扉２４は左側、すなわち、外箱１の角側がヒンジ４１／４２により開閉自在支持されている。ヒンジ４１は枠部２３に設けられている。扉２４には中央の鍵５３、上側の鍵５４、下側の鍵５５が備わる。中央の鍵５３はキィーを用いて施錠／開錠を行う。
【００２３】
上下側の鍵５４／５５はキィー不要のもので、ハンドルの操作でフックの係合／離脱が行われるものである。扉２４は、三つの鍵で施錠され、かつ中央の鍵５３はキィーを用いないと開錠出来ないので、不特定の者に不用意に開けられることがなく、安全である。
【００２４】
前記下部前側の扉２６は、右端側がヒンジ等で回動自在に支持されている。コンサベータ４や二次側配線装置５の補修／点検等のメンテナンスは、扉２６を開いて行う。扉２６は閉成状態にあっては左端側が、扉２４の内側に位置するように置かれる。扉２４が閉められている限り、扉２６は開けられないようになっているので、鍵等を敢えて設ける必要はない。
【００２５】
扉２６には、開け閉め用のハンドルがない。ハンドルを設けなくとも、扉２４を開き、扉２６の左端に手を掛け引くことで、扉２４を開けることができる。
【００２６】
下部側面の扉２７は、後端側（右側）がヒンジ等で回動自在に支持されている。扉２７の前端側（左側）は、裏面側（内面側）を蝶ねじで止めることで、扉２７が表面側から開けることができなくなっている。蝶ねじの締め付け／取り外しは扉２６を開いて内側から行う。外側から蝶ねじを外すことが出来ないので、扉２７は、不特定の者がキィーを用いずに無断で開けることが出来なく、安全である。
【００２７】
三つの扉は、扉２４の施錠で全部の扉が開けられなくなるので、キィーが少なくて済む。
【００２８】
変圧器２が収まる変圧器用内箱３は、支持部材４５を介してベース部２１に支持されている。変圧器用内箱３内の変圧器２は、コイルが巻かれるコアー鉄心を上下で支持する鉄心支持台４６／４７を有する。下側の鉄心支持台４７は変圧器用内箱３の底部に鉄心支持部材４８を介して支持される。
【００２９】
変圧器用内箱３内には、シリコーンの絶縁液が満たされ、変圧器２を浸している。変圧器用内箱３とコンサベータ４は、連通管４９を介して連通している。変圧器２の発熱で絶縁液が膨張すると、膨らんだ分の絶縁液はコンサベータ４に流れ込んで吸収される。変圧器２の発熱が下がると、その絶縁液はコンサベータ４から変圧器用内箱３に戻るので、変圧器用内箱３内の絶縁液は変圧器２を浸すように保たれる。
【００３０】
変圧器用内箱３の上側は固定ボルト５７で外箱１の天井板５６に固定される。変圧器用内箱３は、下側が支持部材４５でベース部２１に固定され、上側が固定ボルト５７で外箱１の天井板５６に固定されているので、変圧器用内箱３が外箱１の内部で揺動することが生じない。このため、変圧器用内箱３の外側面と外箱１の内側面との隙間が少ないのにもかかわらず、変圧器用内箱３が外箱１に接触するようなことが生じない。したがって、外箱１は変圧器用内箱３と常に別電位になるため、人の接触による感電が防止でき、安全性が向上する。
【００３１】
固定ボルト５７について、更に説明を加える。
【００３２】
変圧器用内箱３の上部にはボルト座５８が設けられ、このボルト座５８に固定ボルト５７をねじ込んで固定している。固定ボルト５７と外箱１の天井板５６との間には、絶縁部材を介在し、固定ボルト５７と外箱１とを電気的に切り離している。また固定ボルト５７の頭部表面は電気的安全面で絶縁処理が施されている。
【００３３】
この固定ボルト５７に代えて、吊りボルトをボルト座５８にねじ込むことで、地上用変圧器装置の搬送／組み立て／分解が容易になる。
【００３４】
変圧器用内箱３は、図９、図１０、図１１、図１２に示すように放熱板６０が備わる。放熱板６０は鋼板で作られ、縦に走るように延在する多数の放熱フイン６１を有する。この放熱板６０は変圧器用内箱３の前後および右の３面に設けられる。
【００３５】
放熱フイン６１は、ほぼ波形状を有し、かつ変圧器用内箱３に対面する内側の波間を前記絶縁液が流れる流通溝としている。放熱フイン６１はプレス加工で波形状に形成され、波間のところを潰して閉じ、前記絶縁液が流れる流通溝の上下両端を塞いで絶縁液が漏れないようにしている。
【００３６】
なお、波形のプレス加工で上下両端に穴が出来ない作り方をすれば、潰して閉じる必要はなくなる。
【００３７】
変圧器用内箱３には、放熱板６０を備える面の上下部位に通過孔６２／６３を設ける。この通過孔６２／６３の周縁を含め、その上下の通過孔６２／６３に亘る範囲を覆うように放熱板６０を変圧器用内箱３に添えるように当接し、溶接にて固定する。この溶接は図１０に示すように放熱板６０の周囲を連続するように隈なく行う。この溶接で放熱板６０は変圧器用内箱３に水密（シール）が保たれるように固定される。変圧器用内箱３の絶縁液は、上側の通過孔６２から放熱フイン６１の流通溝側を流れ込み、この流通溝を下って下側の通過孔６３から変圧器用内箱３に入る。このように絶縁液は、変圧器用内箱３と放熱フイン６１の流通溝を循環して変圧器２の発熱を放熱する。
【００３８】
放熱フイン６１は、図１１、図１２に示すように外箱１との隙間が少ない。放熱フイン６１の先端と外箱１の内面との間隔は３．６ｍｍである。外箱１の内面と放熱フイン６１が対向する隙間に絶縁ゴム７０（絶縁部材）を設けて、変圧器用内箱３が揺動いても、外箱１側と変圧器用内箱３側が直接的に接触しないようにし、電気的な安全性を高めている。また絶縁ゴム７０はクッションにもなるので、外箱１の内面と放熱フイン６１が触れ合って傷むこともない。
【００３９】
絶縁ゴム７０は外箱１側に接着剤で接着しているが、変圧器用内箱３側に接着するようにしても良い。また絶縁ゴム７０の厚みが２ｍｍで、放熱フイン６１とのギャップが１．６ｍｍである。絶縁ゴムの厚みを増してギャップが無くするようにしても良い。
【００４０】
更に一次側電力引き込み給電路について詳しく説明する。
【００４１】
引き込みケーブル６のケーブルヘッドは、接地開閉器７の固定電極７１側に接続される。固定電極７１の固定電極棒７２の上側には接地開閉器７の可動電極の可動電極棒７３が置かれる。可動電極棒７３の上側には接地開閉器７の操作機構７４が置かれ、この操作機構７４によって可動電極棒７３は上下に動くように操作される。可動電極棒７３が下げられることで、可動電極棒７３は固定電極棒７２に接触し、接地開閉器７は閉成状態になる。可動電極棒７３が上げられることで、接地開閉器７は開放状態になる。
【００４２】
負荷開閉器８は、固定電極７５側の固定電極棒７６が過電流ヒューズ９に接続されている。固定電極棒７６の上側に可動電極の可動電極棒７７が置かれる。可動電極棒７７の上側には負荷開閉器８の操作機構７８が置かれる。負荷開閉器８の可動電極棒７７は、接地開閉器７の固定電極棒７２に可撓性の導電部材７９で接続されている。操作機構７８で可動電極棒７７を下げることで、可動電極棒７７が固定電極棒７６に接触し、負荷開閉器８は閉成状態になる。操作機構７８で可動電極棒７７を上げることで、負荷開閉器８は開放状態になる。
【００４３】
接地開閉器７および負荷開閉器８は、一部が一つの真空容器９０内に収まってユニット化されている。少なくとも、固定電極棒７２と可動電極棒７３の接触部および固定電極棒７６と可動電極棒７７の接触部が真空容器９０内に収められている。接地開閉器７および負荷開閉器８が一つの真空容器９０内に収められているので、小型でコンパクトになり、外箱１の狭い空間に収まるのである。真空容器９０は、図８に示すように３つ（Ｕ・Ｖ・Ｗの３相分）備わる。
【００４４】
また接地開閉器７の固定電極棒７２、可動電極棒７３および操作機構７４が縦一列になるように置かれ、負荷開閉器８の固定電極棒７６、可動電極棒７７および操作機構７８も縦一列になるように置かれ、かつ接地開閉器７を負荷開閉器８を隣併せに揃えて配置したので、横幅の少ないスリムな形状になる。
【００４５】
このようなスリムな形状なるので、接地開閉器７と負荷開閉器８は、変圧器用内箱３の片側にできる外箱１内の縦に長い縦長空間にうまく収まり、外箱１内に無駄な空間が出来なく、全体として小型でコンパクトな地上用変圧器装置を提供できる。
【００４６】
過電流ヒューズ９は、負荷開閉器８の固定電極棒７６の下方に縦列に並ぶように配置される。この配置も地上用変圧器装置の小型、コンパクト化に寄与している。
【００４７】
この過電流ヒューズ９は、図１３、図１４、図１５、図１６、図１７、図１８に示すように変圧器用内箱３に設けたヒューズ収納室９１に置かれる。ヒューズ収納室９１は、前記縦長空間に向く変圧器用内箱３の側部を突出するように形成する。変圧器用内箱３の底部から過電流ヒューズ９の丈より少し高いところまで膨出させている。また前側（前面）から後側（後面）に亘って形成され、そのヒューズ収納室９１に三本（Ｕ・Ｖ・Ｗの三相分）の過電流ヒューズ９が手前側から後側に並ぶように収まる。
【００４８】
過電流ヒューズ９は変圧器用内箱３の絶縁液に浸るので、発熱の放散はよく行われる。負荷開閉８は変圧器２の負荷電流を遮断するのに対し、過電流ヒューズ９は負荷電流を超える大きな過電流が流れると遮断するように作動する。
【００４９】
ヒューズ収納室９１は、変圧器用内箱３側と仕切られている。大部分が仕切壁９２で、残りがリード線９３の保持板９４で仕切られる。リード線９３は過電流ヒューズ９と変圧器２の一次側を接続するものである。
【００５０】
仕切壁９２は二枚の仕切用鋼板を間隔をもって内部に空洞が出来るように形成されている。仕切壁９２が取り付けられる上部位には小さな空気抜き穴が備わる。仕切壁９２の下方の一部を仕切る保持板９４は、プレスボードを含む断熱性および絶縁性を有する材料で形成され、上下に分割された二枚もので作られている。前記リード線９３は保持板９４の分割部分に挟まるようにして挿通されている。
【００５１】
通常、変圧器用内箱３の内部は１４０度ケルビン、ヒューズ収納室９１は５０度ケルビンが程度である。仕切壁９２および保持板９４でヒューズ収納室９１側が変圧器用内箱３側と熱的に遮断されているので、ヒューズ収納室９１の温度が上がらず、過電流ヒューズ９の誤動作が生じ難い。
【００５２】
仕切壁９２は仕切用鋼板で形成されていても内部に空洞があるので、熱伝達が抑えられ、ヒューズ収納室９１を低い温度に保つことが出来る。保持板９４は断熱性および絶縁性を有する材料で作られているので、熱伝達が抑えられ、かつリード線９３を保持する電気絶縁の面でも優れているのである。
【００５３】
また保持板９４は上側のものが仕切壁９２の下端面に接着剤で接着され、下側のものが変圧器用内箱３の底部に接着剤で接着されている。このように保持板９４は接着剤で接着されているが、上下に分割されているので、リード線９３を挟むように保持することができる。
【００５４】
なお、リード線９３の分割部分での挟持や、過電流ヒューズ９の付け外しは、変圧器用内箱３を逆さに置き、底板を着脱して行うのである。また変圧器用内箱３内への絶縁液の注入は、変圧器用内箱３が正規の状態に置いて行う。この注入で、ヒューズ収納室９１にも絶縁液が満たされる。仕切壁９２の上部位に備わる小さな空気抜き穴から空気が自然に抜かれるので、ヒューズ収納室９１に空気溜まりができなく、過電流ヒューズ９は全体にわたって絶縁液に浸される。保持板９４の上下分割部分より絶縁液は良く流れ込むので、ヒューズ収納室９１内への絶縁液の注入は迅速に行われる。
【００５５】
過電流ヒューズ９は、外側筒体１００と、内側筒体１０１と、内側筒体１０１の外表面に巻かれた螺旋導体１０２と、内側筒体１０１の内側に這わせた信号線１０３と、上端部に設けた上キャップ１０４と、下端部に設けた下キャップ１０５と、内側筒体１０１の下端内側に設けた銛１０６（押し部材）を有する。
【００５６】
この過電流ヒューズ９は、ヒューズ収納室９１の上側に設けた上部ヒューズ受け部材１０７と下側に設けた下部ヒューズ受け部材１０８に支持される。
【００５７】
上部ヒューズ受け部材１０７は、過電流ヒューズ９の上キャップ１０４が着脱自在に嵌る上ソケット１０９と、該上ソケット１０９を支持する上部ヒューズ受台１２０を有する。下部ヒューズ受け部材１０８は、過電流ヒューズ９の下キャップ１０５が着脱自在に嵌る下ソケット１２１と、該下ソケット１２１を支持する下部ヒューズ受台１２２を有する。
【００５８】
下部ヒューズ受け部材１０８は、ヒューズ収納室９１の低部（変圧器用内箱３の底板）に上下方向に移動自在に備わる。具体的には、下部ヒューズ受台１２２の下部軸杆１２３がヒューズ収納室９１の低部に設けた受台１２４に摺動自在に支持されている。受台１２４は摺動部分にシール部材が設けられ、絶縁液が漏れないようにしている。
【００５９】
下部ヒューズ受台１２２の下部軸杆１２３の下側には、下部ヒューズ受け部材１０８を下から支える揺動レバー１３０が備わる。揺動レバー１３０は、支持部材４５に設けられた回転支軸１２５に支持されている。揺動レバー１３０の先端側（揺動端）には、バネ１２６（付勢手段）が設けられ、揺動レバー１３０を上側に持ち上げるような力が付与されている。この揺動レバー１３０とバネ１２６で、下部ヒューズ受け部材１０８は常に押し上げられている。この押し上げで、過電流ヒューズ９は、上部ヒューズ受け部材１０７と下部ヒューズ受け部材１０８に外れることなく確実に支持され、接続部（上下ソケット／上下キャップ）の電気的な接続をも良好に保つことができる。またバネ１２６（付勢手段）に抗して下部ヒューズ受け部材１０８を下げることで、過電流ヒューズ９が簡単に外れる。過電流ヒューズ９の付け外しが容易に行えるのである。
【００６０】
揺動レバー１３０と下部軸杆１２３の間に間隔を調整する調整螺子が介在されている。この調整螺子の調整により、過電流ヒューズ９の支持や電気的な接続の状態を加減する。
【００６１】
揺動レバー１３０は、フレキシブルのワイヤ１２８（可撓性の連結部材）を介して前記負荷開閉８の操作機構７８と連結されている。このため、揺動レバー１３０がバネ１２６に抗して下方に回動作動すると、ワイヤ１２８が引かれて操作機構７８は操作され、負荷開閉８が開放（遮断）されるようになる。
【００６２】
過電流ヒューズ９は、前述したように負荷電流を超えると、螺旋導体１０２が切れ、信号線１０３を介して射出手段に射出指示信号が出され、射出手段の作動で銛１０６（押し部材）の先端が下キャップ１０５を突き破って突き出す。これにより、揺動レバー１３０は下方に回動作動し、負荷開閉８の開放（遮断）作動が行なわれる。
【００６３】
過電流ヒューズ９が切れた際には、負荷開閉８の開放（遮断）作動が自動的に行なわれるので、負荷開閉８の開放させる手動操作が省け、手動操作が忘れても開放になっているので安全である。
【００６４】
表示板１４０は、図７、図８に示すように、一次側電力引き込み給電路の電力系統配線図を示している。この表示板１４０は、前記接地開閉器７および前記負荷開閉８を覆うように表側に配置されている。一次側電力引き込み給電路は、外箱１の扉２４の内側に位置しているので、扉２４を開くと、表示板１４０の一次側電力引き込み給電路を正面に見ることができる。
【００６５】
表示板１４０は断熱性／絶縁性の有する基板（台紙板）と電力系統配線図が描かれたシートを有する。シートは基板に貼られている。基板が断熱性を有するので、シートの接着力を損ねられず、シートは容易に剥がれてしまうことはない。
【００６６】
電力系統配線図は、引き込みケーブル２００、接地開閉器ＥＳ、負荷開閉器ＬＢＳ、過電流ヒューズＰＦ、検電部ＶＤ、ケーブルヘッド２０４、変圧器ＴＲ、分岐部２０１、アースＥを表示している。この表示は、地上用変圧器に備わる各機器の配置が概略的に分かるように標識や位置に配慮がなされている。機器の実際の位置関係と概ね関連付けて表示されている。
【００６７】
このように表示板１４０は、接地開閉器７および負荷開閉８を覆う表側に配置されているので見やすく、しかも電力系統配線図を見ることで、この地上用変圧器に備わる機器、機器の配置や配電系統を概ね把握することができ、修理／点検等のメンテナンスを容易／安全に行なうことができる。
【００６８】
検電部１４１は、引き込みケーブル６の上側に備わる。この検電部１４１は、三本（Ｕ・Ｖ・Ｗの３相分）の引き込みケーブル６に設けられる。検電部１４１の電圧は、ＡＣ１００Ｖから１２０Ｖの低圧であるので、通電の確認を安全に行なうことができる。
【００６９】
接地開閉器７の可動電極棒７３側はＵ・Ｖ・Ｗの３相分が導電板１４２で接続され、この導電板１４２はアース線１４３をもって大地にアースされている。アース線１４３は表示板１４０の表面を這い、引き込みケーブル６に沿って大地に導かれている。
【００７０】
操作前面パネル１４４は、接地開閉器７の操作機構７４および負荷開閉器８の操作機構７８を覆う表面側で、かつ表示板１４０の上方に位置するように配置される。操作前面パネル１４４の下端側は、表示板１４０の上端側に上から重なるように合わせられ、締め付けボルト１４５により支骨等に一緒に友締めされる。
【００７１】
締め付けボルト１４５の頭部と扉２４の内面との間に絶縁部材１４６が介在される。締め付けボルト１４５側は大地にアースされ、扉２４は大地から電気的に浮いている。扉２４が押されて内側に凹んでも絶縁部材１４６があるため、締め付けボルト１４５に接触することはなく、電気的に安全である。
【００７２】
操作機構７４の操作レバー１４７と、操作機構７８の操作レバー１４８は、操作前面パネル１４４のそれぞれのスライド溝より表側に突出している。接地開閉器７の操作レバー１４７を下げると、接地開閉器７は閉じられ、一次側電力引き込み給電路はアースされる。操作レバー１４７を上げることで、そのアースが解かれる。通常の通電時は操作レバー１４７が上げられている。
【００７３】
負荷開閉器８の操作レバー１４８が上げられると、負荷開閉器８は開放（遮断）される。過電流ヒューズ９が切れたときも、ワイヤ１２８（可撓性の連結部材）を介して引かれ、前記負荷開閉８は開放（遮断）作動する。
【００７４】
この接地開閉器７の操作レバー１４７と表示板１４０の接地開閉器ＥＳとの対応関係、負荷開閉器８の操作レバー１４８と表示板１４０の負荷開閉器ＬＢＳとの対応関係がそれぞれ縦列に揃えられているので、接地開閉器と負荷開閉器を取り違えて操作する操作ミスは生じ難くなる。
【００７５】
図１９、図２０、図２１は他の実施例を示す。
【００７６】
先の実施例と共通なものには、同じ符号を付して説明は省く。
【００７７】
この実施例は先の実施例（１系統の引き込みケーブル）と違い、２系統の引き込みケーブル６ａ、６ｂを備えている。
【００７８】
Ｕ・Ｖ・Ｗの各相の真空容器９０には、二つの接地開閉器と３つの負荷開閉器が備わる。表示板４００に示す電力系統配線図（図２０）に沿い、接地開閉器および負荷開閉器の関連について詳しく述べる。
【００７９】
電力系統配線図は、引き込みケーブル２０６ａ（第１の系統）、引き込みケーブル２０６ｂ、接地開閉器ＥＳ１、負荷開閉器ＬＢＳ１、接地開閉器ＥＳ２、負荷開閉器ＬＢＳ２、負荷開閉器ＬＢＳ３、過電流ヒューズＰＦ、検電部ＶＤ、ケーブルヘッド２０４ａ、ケーブルヘッド２０４ｂ、変圧器ＴＲ、分岐部２０１ａ、分岐部２０１ｂ、アースＥを表示している。
【００８０】
負荷開閉器ＬＢＳ３は、過電流ヒューズＰＦが作動したときに開放作動するように連携されているが、他の負荷開閉器ＬＢＳ１・ＬＢＳ２は連携されていない。負荷開閉器ＬＢＳ１・ＬＢＳ２と過電流ヒューズＰＦを連携させると、負荷開閉器ＬＢＳ３は省略できる。
【００８１】
接地開閉器ＥＳ１の操作レバー３００と、負荷開閉器ＬＢＳ１の操作レバー３０１は、接地開閉器ＥＳ１と、負荷開閉器ＬＢＳ１の上側に夫々対応関係をとって配置されている。接地開閉器ＥＳ２の操作レバー３０２と、負荷開閉器ＬＢＳ２の操作レバー３０３も、接地開閉器ＥＳ２と、負荷開閉器ＬＢＳ２の上側に夫々対応関係がとられて配置されている。また負荷開閉器ＬＢＳ３の操作レバー３０４も、負荷開閉器ＬＢＳ３の上側に夫々対応関係がとられて配置されている。
【００８２】
このように操作レバーがそれぞれ対応関係がとられて配置されているので、操作ミスが生じ難くなる。
【００８３】
接地開閉器の可動電極棒は、アース線３１０によって大地にアースされている。アース線３１０は、操作前面パネル５００の表面側に突き出たアース端子３１２にナット等で止められ、操作前面パネル５００および表示板４００の表面を這い，引き込みケーブル６ｂに沿って大地に導かれる。
【００８４】
表示板４００には、検電部端子３０５ａ、３０５ｂが備わる。検電部端子３０５ａは、第１系統にあたる表示用の検電部ＶＤの直ぐ下に、検電部端子３０５ｂは、第２系統にあたる表示用の検電部ＶＤの直ぐ下に配置される。検電部端子３０５ａは引き込みケーブル６ａの検電部１４１ａより、検電部端子３０５ｂは引き込みケーブル６ｂの検電部１４１ｂより夫々のリードで接続されている。
【００８５】
検電部端子３０５ａ、３０５ｂは、表示用の検電部ＶＤの直ぐ下に配置されているので、検電がし易い。
【００８６】
図１９に示すように、外箱１の内部で変圧器用内箱の下側の空間には、二次側配線装置５が置かれる。この二次側配線装置５より低圧に降下された電力が配られる。二次側配線装置５の左側にある蝶ねじ５０１は、先の実施例で述べた前記扉２７を止めるものである。この蝶ねじ５０１は内側から止めているので、前記前側の扉２６を開けない限り、蝶ねじ５０１は外すことができないため、勝手に開けられることを防止し、安全である。
【００８７】
【発明の効果】
本発明によれば、修理、点検等のメンテナンスを容易に、かつ安全に行なうことができるものを提供できる。
【図面の簡単な説明】
【図１】本発明の実施例に係わるもので、地上用変圧器の縦断面図。
【図２】本発明の実施例に係わるもので、地上用変圧器の主要部の分解図。
【図３】本発明の実施例に係わるもので、地上用変圧器の外観正面図。
【図４】本発明の実施例に係わるもので、地上用変圧器の外観側面図。
【図５】本発明の実施例に係わるもので、地上用変圧器の外観上面図。
【図６】本発明の実施例に係わるもので、地上用変圧器の側面図。
【図７】本発明の実施例に係わるもので、扉を開いて表示板および前面操作パネルを表面から見たところを示す図。
【図８】本発明の実施例に係わるもので、接地開閉器および負荷開閉器の収まる真空容器の並びを側面から見たところを示す図。
【図９】本発明の実施例に係わるもので、変圧器用内箱の分解図。
【図１０】本発明の実施例に係わるもので、放熱板の断面図。
【図１１】本発明の実施例に係わるもので、図６のＡ部拡大図。
【図１２】本発明の実施例に係わるもので、図１１のＢ−Ｂ断面図である。
【図１３】本発明の実施例に係わるもので、過電流ヒューズの関連構成を示す図。
【図１４】本発明の実施例に係わるもので、過電流ヒューズの関連構成をより詳しく示す図。
【図１５】本発明の実施例に係わるもので、過電流ヒューズ単体の断面図。
【図１６】本発明の実施例に係わるもので、過電流ヒューズと負荷開閉器の連携機構を示す図。
【図１７】本発明の実施例に係わるもので、図１６を側面から見た図。
【図１８】本発明の実施例に係わるもので、図１６をＣ−Ｃ矢印方向から見た図。
【図１９】本発明の他の実施例に係わるもので、一次側電力引き込み給電路とコンサベータを覆う扉を開いて地上用変圧器を正面から見た図。
【図２０】本発明の他の実施例に係わるもので、扉を開いて表示板および前面操作パネルを表面から見たところを示す図（図７に対応する図）。
【図２１】本発明の他の実施例に係わるもので、接地開閉器および負荷開閉器の収まる真空容器の並びを側面から見たところを示す図（図８に対応する図）。
【符号の説明】
１…外箱、２…変圧器、変圧器内箱、７…接地開閉器、８…負荷開閉器、９…過電流ヒューズ、１４１…検電部、６…引き込みケーブル、１４０…表示板。
【図１】
2004248359.tif 000003
【図２】
2004248359.tif 000004
【図３】
2004248359.tif 000005
【図４】
2004248359.tif 000006
【図５】
2004248359.tif 000007
【図６】
2004248359.tif 000008
【図７】
2004248359.tif 000009
【図８】
2004248359.tif 000010
【図９】
2004248359.tif 000011
【図１０】
2004248359.tif 000012
【図１１】
2004248359.tif 000013
【図１２】
2004248359.tif 000014
【図１３】
2004248359.tif 000015
【図１４】
2004248359.tif 000016
【図１５】
2004248359.tif 000017
【図１６】
2004248359.tif 000018
【図１７】
2004248359.tif 000019
【図１８】
2004248359.tif 000020
【図１９】
2004248359.tif 000021
【図２０】
2004248359.tif 000022
【図２１】
2004248359.tif 000023